(57)【要約】【課題】  本考案はキャリーバッグとして充分な使い勝手を有しながら小さく折畳んでショルダーバッグとしても使用することができるようにして、キャリーバッグの不使用時の荷物としての不便さを解決することを課題とするものである。【解決手段】  本考案は折畳むとショルダーバッグとなる長手展開形のキャリーバッグ１の底面２の長手方向の外面に２条の膨らみ防止ベルト３，３を添わせ、該ベルト３，３の一端をベルト提手４に結着して、該提手４の引きつけにより膨らみ防止ベルトを緊張させて、キャリーバッグの底面が膨らむことを防止するようにしたことを特徴とする膨らみ防止ベルト付のキャリーバッグにある。【選択図】図１
0003101764.tif 000002
【実用新案登録請求の範囲】
【請求項１】
折畳むとショルダーバッグとなる長手展開形のキャリーバッグ１の底面２の長手方向の外面に２条の膨らみ防止ベルト３，３を添わせ、該ベルト３，３の一端をベルト提手４に結着して、該提手４の引きつけにより膨らみ防止ベルトを緊張させて、キャリーバッグの底面が膨らむことを防止するようにしたことを特徴とする膨らみ防止ベルト付のキャリーバッグ。
【請求項２】
キャスター５，５を底角部より出入自在とする請求項１記載のキャリーバッグ。
【考案の詳細な説明】
【技術分野】
【０００１】
この考案は膨らみ防止ベルト付のキャリーバッグに関するものである。
【背景技術】
【０００２】
この種のキャリーバッグとしては実用新案登録第３０９１１６０号公報がある。該公報は底面部の立脚部材を取外し自在にして取外すことによってキャリーバッグを折畳むことができるようにしたことを記載している。
【特許文献１】実用新案登録第３０９１１６０号公報
【考案の開示】
【考案が解決しようとする課題】
【０００３】
しかしながら、該キャリーバッグは引き運び用のハンドルとハンドルを出入自在に支持する鞘を設けて剛性を強化するようにしているので、折畳むとしても前後面間の厚みが少し薄くなる程度の扁平にとどまり、折畳んでも何の役割もしない新たな荷物になってしまうという課題がある。
【課題を解決するための手段】
【０００４】
本考案は、折畳むとショルダーバッグとなる長手展開形のキャリーバッグ１の底面２の長手方向の外面に２条の膨らみ防止ベルト３，３を添わせ、該ベルト３，３の一端をベルト提手４に結着して提手４の引きつけにより膨らみ防止ベルトを緊張させてキャリーバッグ１の底面２の膨らむことを防止するようにして、かかる課題を解決するようにしたのである。
【考案の効果】
【０００５】
本考案は、展開すれば荷物を大量に運べるキャリーバッグとなり、折畳めばショルダーバッグとなって情況により便利に使い分けることができるという効果を生ずる。
【０００６】
キャリーバッグの底面に膨らみ防止ベルトを添わせてその一端をベルト提手に結着したので、キャリーバッグとして使用してベルト提手を引き歩きすると、提手によって膨らみ防止ベルトは緊張してキャリーバッグの底面の膨らみが防止されるという効果を生ずる。
【０００７】
キャスターは底角部より出入自在としたときは、折畳んでショルダーバッグとして使用する際はキャスターを引っ込めることによって身体に当たる不快感を解消することができるという効果を生ずる。
【考案を実施するための最良の形態】
【０００８】
本考案は折畳むとショルダーバッグとなる長手展開形のキャリーバッグ１の底面２の長手方向の外面に２条の膨らみ防止ベルト３，３を添わせ、該ベルト３，３の一端をベルト提手４に結着して、該提手４の引きつけにより膨らみ防止ベルト３，３を緊張させて、キャリーバッグの底面が膨らむことを防止するようにした膨らみ防止ベルト付のキャリーバッグを提供し、畳むとショルダーバッグとして使用することができるようにしたのである。
【実施例１】
【０００９】
図１は本考案のキャリーバッグ１の使用状態を示す底面側から見た斜視図であり、折畳むことで図２に示すショルダーバッグ６とすることができる。７は着脱自在とするショルダー用の提手であり、５，５は一側の底角部に設けたキャスター、８，８は締結具付きのサイドバンド、４はキャリー用のベルト提手、３，３はベルト提手４に一端を結着した膨らみ防止ベルトである。
【００１０】
ショルダーバッグ６を展開してキャリーバッグ１にするときは、ショルダー用の提手７を外し、両側のサイドバンド８，８の締結を解いてから図３に示すように展開するとキャリーバッグ１となる。９は内面に沿わした引出し形の覆い体であり、１０はその口紐である。図４に示すように覆い体９を外に出し、折畳み仕切１１などを利用してキャリーバッグ１内に物を入れてから図５に示すように口紐１０を緊縛して閉じ、図６（ａ）に示すように幅方向の膨らみを防止する締結具付きのバンド１２，１２を締結し、さらに図６（ｂ）に示すようにショルダーバッグ用の提手７を利用して長手方向に掛け止めて保形させることもできる。
【００１１】
ベルト提手４を持ってキャリーバッグ１を歩行可能に斜めに持ち上げると、底面２の外面に２条において添わした膨らみ防止ベルト３，３はその一端をベルト提手４に結着しているので、ベルト提手４の引きにより膨らみ防止ベルト３，３は緊張してキャリーバッグ１の底面２の膨らみを防止し、中の物の荷崩れなどを防ぐとともにベルト提手４からキャスター５，５までほぼ直線状のしっかりした姿勢で引き歩きすることができるものとなる。なお膨らみ防止ベルトは１条または３条等にて設けることもできる。
【実施例２】
【００１２】
図７（ａ）（ｂ）はキャスター５の出入り自在の構成例を示すもので、回動自在に軸１３止めしたキャスター５の側面に張りバネ１４ａ付勢の留具１４の長穴１４ｂに嵌合する止軸５ａを設け、長穴１４ｂの両端に設けた掛溝１４ｃ，１４ｄの一方に掛止することにより出入状態を保持するようにしたユニットを底角部２ａに取付けたのである。キャリーバッグ１として使用するときは図７（ａ）に示すようにキャスター５を底角部２ａから突出させ、折畳んでショルダーバッグ６とするときは図７（ｂ）に示すようにキャスター５をユニット内に引っ込めた状態にするのである。ショルダーバッグ６として肩から下げたときにキャスター５，５が身体に当たる不快感や衣服が汚れることを解消することができることとなる。
【産業上の利用可能性】
【００１３】
本考案は以上のようにして、キャリーバッグとしての使い勝手に優れ、折畳んでもショルダーバッグとして使用することができるので、アウトドアレジャーなどに広く便利に使用することができるものとなる。
【図面の簡単な説明】
【００１４】
【図１】（実施例１）キャリーバッグの使用状態を底面側から見た斜視図
【図２】（ａ）（ｂ）はショルダーバッグに折畳んだ状態を角度をかえて示す斜視図
【図３】展開した状態を示す斜視図
【図４】覆い体を外に出し拡げた状態の斜視図
【図５】口紐を引き閉じした斜視図
【図６】（ａ）は幅方向の膨らみ防止用のバンドを締結した斜視図、（ｂ）はショルダー用の提手を長手方向に掛け張りした斜視図
【図７】（実施例２）（ａ）（ｂ）はキャスターを出入自在に構成したユニット部分を示す断面図
【符号の説明】
【００１５】
１はキャリーバッグ
２は底面
３，３は膨らみ防止ベルト
４はキャリー用のベルト提手
５，５はキャスター
５ａは止軸
６はショルダーバッグ
７はショルダー用の提手
８，８はサイドバンド
９は覆い体
１０は口紐
１１は折畳み仕切
１２，１２は幅方向の膨らみ防止用のバンド
１３は軸
１４は留具
１４ａは張りバネ
１４ｂは長穴
１４ｃ，１４ｄは掛溝
【図１】
0003101764.tif 000003
【図２】
0003101764.tif 000004
【図３】
0003101764.tif 000005
【図４】
0003101764.tif 000006
【図５】
0003101764.tif 000007
【図６】
0003101764.tif 000008
【図７】
0003101764.tif 000009